(57)【要約】【課題】  複数の赤外線受信式プリンタを外乱から纏めて保護し、電池交換を不要化すると共に、印画紙パックの交換補充を簡易にし、赤外線送信方向を定め易くすること。【解決手段】  画像信号でデータ化した赤外線の受信データを画像としてプリントアウトできる複数の赤外線受信式プリンタ１と、これら各プリンタを分離配置する棚板２と、印画紙ぎれプリンタを不動作にした後、印画紙が存在する他のプリンタを順次に一台ずつ動作可能にする一連のシーケンスプログラムに基づいたプリンタ制御回路基板３と、商用電源導入部Ｄとをそれぞれ同一ケース４内に備える一方、その正面板５には、赤外線受信ポート６と、画像送信指示光源７と、プリント実行中表示光源８と、各プリンタ１の印画紙排出口９と、各プリンタに対応した印画紙ぎれ表示光源１０とをそれぞれ備えた。【選択図】図１
0003126215.tif 000002
【実用新案登録請求の範囲】
【請求項１】
画像信号でデータ化した赤外線の受信データを画像としてプリントアウトできる複数の赤外線受信式プリンタと、これら各プリンタを分離配置する棚板と、一連のシーケンスプログラムに基づき、印画紙ぎれプリンタを不動作にした後、印画紙が存在する他のプリンタを順次に一台ずつ動作可能にするプリンタ制御回路基板と、商用電源導入部とをそれぞれ同一ケース内に備える一方、その正面板には、赤外線受信ポートと、画像送信指示光源と、プリント実行中表示光源と、各プリンタの印画紙排出口と、各プリンタに対応した印画紙ぎれ表示光源とをそれぞれ備えた赤外線受信式プリント装置。
【請求項２】
携帯電話機内装カメラの画像信号でデータ化した赤外線の受信データを画像としてプリントアウトできる複数の赤外線受信式プリンタと、これら各プリンタを分離配置する棚板と、一連のシーケンスプログラムに基づき、印画紙ぎれプリンタを不動作にした後、印画紙が存在する他のプリンタを順次に一台ずつ動作可能にするプリンタ制御回路基板と、商用電源導入部とを同一ケース内に備える一方、その正面板には、赤外線受信ポートと、画像送信指示光源と、プリント実行中表示光源と、各プリンタの印画紙排出口と、各プリンタに対応した印画紙ぎれ表示光源とをそれぞれ備えた赤外線受信式プリント装置。
【請求項３】
デジタルカメラの画像信号でデータ化した赤外線の受信データを画像としてプリントアウトできる複数の赤外線受信式プリンタと、これら各プリンタを分離配置する棚板と、一連のシーケンスプログラムに基づき、印画紙ぎれプリンタを不動作にした後、印画紙が存在する他のプリンタを順次に一台ずつ動作可能にするプリンタ制御回路基板と、商用電源導入部とを同一ケース内に備える一方、その正面板には、赤外線受信ポートと、画像送信指示光源と、プリント実行中表示光源と、各プリンタの印画紙排出口と、各プリンタに対応した印画紙ぎれ表示光源とをそれぞれ備えた赤外線受信式プリント装置。
【請求項４】
パソコン内装カメラの画像信号でデータ化した赤外線の受信データを画像としてプリントアウトできる複数の赤外線受信式プリンタと、これら各プリンタを分離配置する棚板と、一連のシーケンスプログラムに基づき、印画紙ぎれプリンタを不動作にした後、印画紙が存在する他のプリンタを順次に一台ずつ動作可能にするプリンタ制御回路基板と、商用電源導入部とを同一ケース内に備える一方、その正面板には、赤外線受信ポートと、画像送信指示光源と、プリント実行中表示光源と、各プリンタの印画紙排出口と、各プリンタに対応した印画紙ぎれ表示光源とをそれぞれ備えた赤外線受信式プリント装置。
【請求項５】
前記赤外線受信ポートに各プリンタ共用の赤外線受信ポートを用いた請求項１から請求項４までのいずれか一つの請求項に記載の赤外線受信式プリント装置。
【請求項６】
前記ケースの正面板に管理者コール指示光源を備えた請求項１から請求項５までのいずれか一つの請求項に記載の赤外線受信式プリント装置。
【請求項７】
前記プリンタ制御回路として、印画紙ぎれプリンタの電源をオフにすると共に、印画紙が存在する他のプリンタの電源を順次に一台ずつオンにする一連のシーケンスプログラムに基づいたプリンタ制御回路を用いてなる請求項１から請求項６までのいずれか一つの請求項に記載の赤外線受信式プリント装置。
【請求項８】
前記ケース内の商用電源導入部に商用電源アダプタを接続してなる請求項１から請求項７までのいずれか一つの請求項に記載の赤外線受信式プリント装置。
【考案の詳細な説明】
【技術分野】
【０００１】
本考案は、複数の赤外線受信式プリンタを外乱から纏めて保護し、電池交換を不要化すると共に、印画紙パックの交換補充を簡易にし、赤外線送信方向を定め易くした赤外線受信式プリント装置に関する。
【背景技術】
【０００２】
従来の赤外線受信式プリンタとしては、例えば下記の非特許文献１に記載のように、携帯電話機内装カメラなどからの画像信号でデータ化した赤外線の受信データを画像としてプリントアウトできる赤外線受信式プリンタが周知である。
【非特許文献１】東京都港区西麻布２丁目２６番３０号所在の富士写真フィルム株会社が、平成１６年１１月１４日に日本国内で多数発売し、同１６年１２月上旬に本出願人が国内で購入した「ｐｉｖｉ」（登録商標）と称する赤外線受信式プリンタに付属の取扱い説明書。
【考案の開示】
【考案が解決しようとする課題】
【０００３】
前記非特許文献１による赤外線受信式プリンタは、１０枚の印画紙を内装した印画紙パックを使用した電池電源式の偏平プリンタであり、家庭内などで個人的に使用することを前提として企画し製品化しているので、個人使用には問題無いが、このプリンタには、結婚式場とか、コンビニなどの不特定多数の人々が集まる場所に分散設置して、多数客に有料または無料で写真提供サービスを実行しようとする製品企画意図は最初から無い。
【０００４】
したがって、上記従来の赤外線受信式プリンタは、掌サイズの小さいプリンタだから、不特定多数の人々が集まる場所に単品の状態で、そのまま設置した場合、手垢が付いたり、プリンタが損傷して使い物にならなくなる場合も有り、時にはプリンタが盗難などで紛失する場合も有るので、プリンタ単品のままでは、多数客に写真提供サービスを実行できないという根源的で切実な問題点が生じる。
【０００５】
また、上記従来プリンタを単品のまま、上記写真提供サービスを無理に実行しようとした場合、急を要する電池交換作業とか、印画紙ぎれ印画紙パックの交換補充作業は、それぞれ異なるプリンタ設置場所に交換補充作業者が急いで出向き、一台ずつ実行しなければならず、面倒かつ、厄介であるし、プリンタの赤外線受信ポートが極小のため、その存在場所が素人では分かりづらく、赤外線の送信方向を定めづらいので、多数客の要望に対処できない場合も出てくるという根源的で切実な問題点が有る。
【０００６】
本考案は、複数の赤外線受信式プリンタを外乱から保護し、電池交換を不要化し、印画紙パックの交換補充を簡易にし、赤外線送信方向を定め易くすることを目的とする。
【課題を解決するための手段】
【０００７】
上記本考案の目的は、画像信号でデータ化した赤外線の受信データを画像としてプリントアウトできる複数の赤外線受信式プリンタと、これら各プリンタを分離配置する棚板と、一連のシーケンスプログラムに基づき、印画紙ぎれプリンタを不動作にした後、印画紙が存在する他のプリンタを順次に一台ずつ動作可能にするプリンタ制御回路基板と、商用電源導入部とをそれぞれ同一ケース内に備える一方、その正面板には、赤外線受信ポートと、画像送信指示光源と、プリント実行中表示光源と、各プリンタの印画紙排出口と、各プリンタに対応した印画紙ぎれ表示光源とをそれぞれ備えたことで達成できた。
【考案の効果】
【０００８】
この考案によれば、赤外線受信式プリンタの単品よりも大幅に大きいケース内に、複数のプリンタを整然と収納して結婚式場やコンビニなど、不特定多数の人々が集まる場所に設置できるので、ケース内における上記複数のプリンタを汚れや損傷とか、盗難といった外乱から纏めて保護できると共に、上記ケースの正面板には、大きな赤外線受信ポートを配置できるから、携帯電話機などに備えた赤外線送信ポートから画像データ化赤外線の送信方向を素人でも定め易くなり、多数客に携帯電話機などによる写真提供サービスを容易に実行できるという効果が有る。
【０００９】
また、本考案は、ケース内の商用電源導入部を経た例えば商用電源アダプタからの電流で動作する前記プリンタ制御回路基板３により、ケース内に設けた複数の赤外線受信式プリンタのうち、印画紙ぎれプリンタを自動的に不動作にした後、印画紙が存在する他のプリンタを順次に一台ずつ動作可能になしたので、家庭内などで個人的に使用する場合も含め、不特定多数の人々が集まる場所で多数客に携帯電話機などによる写真提供サービスを有料または無料で実行する場合にも、電池交換作業を一切不要化できたし、印画紙ぎれの複数プリンタの出現をケース内プリンタの数に応じて先伸ばしできると共に、同一場所で複数プリンタ内の印画紙パックを交換補充できるから、広い設置場所における急な複数の印画紙補充要求に対しても容易に対処でき、省力的でもあるという優れた効果も有る。
【００１０】
本考案における請求項２・３・４の各考案のように、携帯電話機内装カメラ・デジタルカメラ・パソコン内装カメラからそれぞれ得た各画像信号でデータ化した赤外線の受信データを画像としてプリントアウトできる赤外線受信式プリンタを用いれば、不特定多数の人々が集まる場所で多数客に対する写真提供サービスが実行し易くなった。
【００１１】
本考案における請求項５の考案のように、前記赤外線受信ポートにケース内の各プリンタ共用の赤外線受信ポートを用いれば、赤外線受信に関連した光学系路を簡略化できるし、共用の赤外線受信ポートは、正面板に大面積で実装できるから、赤外線送信ポートから画像データ化赤外線の送信方向を、より一層定め易くなつたという効果を付加できた。
【００１２】
本考案における請求項６の考案のように、前記ケースの正面板に管理者コール指示光源を備えれば、複数のプリンタの全部が印画紙切れになった場合とか、プリンタエラーの発生時や実装部材の不具合発生時などに管理者の呼び出しを喚起でき、上記印画紙切れやエラーなどに対し早急に対処できるという効果を付加できた。
【００１３】
本考案における請求項７の考案のように、前記プリンタ制御回路として、印画紙ぎれプリンタの電源をオフにすると共に、印画紙が存在する他のプリンタの電源を順次に一台ずつオンにする一連のシーケンスプログラムに基づいたプリンタ制御回路を用いれば、複数のプリンタを省エネ的に順次制御できるという効果を付加できる。
【００１４】
また請求項８の考案のように、ケース内の商用電源導入部に商用電源アダプタを接続すれば、このアダプタだけの電源アイソレーション（一次・二次間絶縁抵抗）を電気用品安全法に基づき品質管理することで、ケースやその外装部材による感電事故を皆無にできるという効果を付加できた。
【考案を実施するための最良の形態】
【００１５】
次に、本考案の最良実施形態例を図と共に説明すると、画像信号で赤外線をパルスコード変調した画像信号データ化赤外線を送信できるデジタル画像取扱機材、例えば携帯電話機内装カメラや一般デジタルカメラとか、パソコン内装デジタルカメラなどからの画像信号によるデータ化赤外線を受信し、この受信データを画像としてプリントアウトできる図１・図２に示す前記従来例のような例えば三台の赤外線受信式プリンタ１を用意する。
【００１６】
そして、上記各プリンタ１を図２における固定枠２Ａを介して図１・図３・図４のようにケース４内に平設した三枚の棚板２に載置固定し、各プリンタ１をケース４内で縦方向に分離して固定配置すると共に、商用電源アダプタの出力リードなどのケース内商用電源導入部Ｄからの電流で一連のシーケンスプログラムに基づき動作する図５のようなプリンタ制御用ＣＰＵ内装ＬＳＩ回路３Ａと、その周辺付属回路３Ｂとを搭載したプリンタ制御回路基板３を金属などの強靱材で作った上記ケース４内に周知の固定手段で同図５のように不動に配置することで、前記三台のプリンタのうち、印画紙ぎれプリンタを不動作にした後、印画紙が存在する他のプリンタを順次に一台ずつ動作可能に各部を構成する。
【００１７】
また、前記ケース４の正面板５には、図６のように各プリンタ共用の暗赤色プラスチックなどで作った赤外線受信ポート６を設け、このポート６で受信した赤外線を電気変換して得たデータ信号を前記三台のプリンタ１の各受信データ信号入力部（図示せず）にバッファアンプを経て三分配供給したり、三台のプリンタに既設の各赤外線受信ポート（図示せず）に格別連設した計三つの光路部材の入光端をそれぞれ正面板５に設ける。
【００１８】
また上記正面板５には、図６のように前記画像データ化赤外線の送信開始を指示するための画像送信指示光源７と、上記送信赤外線による受信データのプリント実行中表示光源８と、各プリンタ１のプリント済印画紙排出口９と、各プリンタに対応した印画紙ぎれ表示光源１０とをそれぞれ上記図６のように備えることで、本考案による赤外線受信式プリント装置を構成できるが、複数のプリンタの全部が印画紙切れになった場合とか、プリンタエラーの発生時や実装部材の不具合発生時などに管理者の呼び出しを喚起できる管理者コール指示光源１１を必要に応じて正面板５に設けてもよい。
【００１９】
本考案による赤外線受信式プリント装置は、以上のような構成となしたので、これを使用するには、先ず前記商用電源アダプタを商用電源に接続したり、前記正面板５などに設けた電源スイッチ（図示せず）をオンにすると、第一順位の印画紙パックセット済プリンタ１がスタンバイ状態になると共に、使用者に画像データ化赤外線の送信開始を図６における画像送信指示光源７の点滅などにより指示できる。
【００２０】
次いで、携帯電話機内装カメラや、一般的なデジタルカメラとか、パソコン内装デジタルカメラなどからの画像信号でデータ化した赤外線をこれら各カメラに設けた赤外線送信ポート（図示せず）から前記ケース正面板５に設けた赤外線受信ポート６に向け、約１０秒程度送信し続けると、その受信データ取り込み完了表示が図６における前記画像送信指示光源７の早い点滅などにより実行できると共に、前記第一順位のプリンタ１がプリントを開始し、図６のプリント実行中表示光源８が点滅し、約２０秒程度のプリント所要時間が経過すると、プリント済印画紙を図６におけるケース正面板５の印画紙排出口９からプリントアウトでき、約３０秒程度の現像所要時間が経過すると、上記各カメラからの鮮明なポジ画像の写真が得られる。
【００２１】
そして、前記第一順位のプリンタ１内の印画紙が無くなり、所謂印画紙切れになると、このプリンタ１からの印画紙切れ出力などを用いた前記一連のシーケンスプログラムに基づき、商用電源導入部Ｄからの電流で電気的に作動するプリンタ制御回路基板３内のスイッチ回路（図示せず）により、上記第一順位のプリンタ１の電源をオフにして、このプリンタを不動作状態にしかつ、このプリンタの印画紙切れ表示光源１０を点灯させると共に、今度は、第二順位のプリンタ１の電源をプリンタ制御回路基板３内の上記スイッチ回路によりオンにして、この第二順位のプリンタ１をスタンバイさせることができる。
【００２２】
したがって、上記第二順位のプリンタ１により前述したような操作手順で、次々にプリント済印画紙を印画紙排出口９からプリントアウトでき、この第二順位のプリンタ１が印画紙切れになると、前述したようにこのプリンタ１を不動にし、かつ、この第二順位のプリンタの印画紙切れ表示光源１０を点灯させると共に、次の第三順位のプリンタ１に電源を供給するなどして、この第三順位のプリンタ１がスタンバイ状態となる。
【００２３】
その後、上記第三順位のプリンタ１も印画紙切れになると、このプリンタ１の印画紙切れ表示光源１０を点灯させて三台のプリンタ全部が印画紙切れになったことを告知できると共に、ケース正面板５に管理者コール指示光源１１を備えたり、管理者側にチャイム（図示せず）を備えてあれば、上記のようにプリンタの全部が印画紙切れになった場合とか、プリンタエラーの発生時や実装部材の不具合発生時などに管理者の呼び出しを喚起でき、上記印画紙切れとか、プリンタエラーなどに対し早急に対処できる。
【実施例】
【００２４】
前記印画紙ぎれプリンタを不動にするには、前述したように印画紙ぎれプリンタの電源をオフにする代わりに、プリンタに設けた動作制御端子にプリンタ制御回路基板３から不動作維持信号を印加してもよく、また、印画紙が存在する他のプリンタを順次に一台ずつ動作可能にするには、上記プリンタ電源を順次に一台ずつオンにする代わりに、その動作制御端子にプリンタ制御回路基板３から動作可能信号を順次に印加してもよい。
【産業上の利用可能性】
【００２５】
本考案による赤外線受信式プリント装置は、前述したような結婚式場やコンビニ以外に、娯楽施設やホテルのロビーとか、キャバクラなどの不特定多数の人々が集まるすべての場所に幅広く利用でき、その便益大である。
【図面の簡単な説明】
【００２６】
【図１】本考案によるプリンタ収納装置のカバーを除去した斜視図
【図２】本考案による棚板にプリンタを実装する途中の斜視図
【図３】本考案による棚板にプリンタを実装した状態の斜視図
【図４】図１に示すものの拡大側面図
【図５】図１に示すものの要部切欠背面図
【図６】本考案によるプリンタ収納装置の斜視図
【符号の説明】
【００２７】
１  赤外線受信式プリンタ
２  棚板
３  プリンタ制御回路基板
４  ケース
５  ケース正面板
６  赤外線受信ポート
７  画像送信指示光源
８  プリント実行中表示光源
９  印画紙排出口
１０  印画紙ぎれ表示光源
１１  管理者コール指示光源
Ｄ  商用電源導入部
【図１】
0003126215.tif 000003
【図２】
0003126215.tif 000004
【図３】
0003126215.tif 000005
【図４】
0003126215.tif 000006
【図５】
0003126215.tif 000007
【図６】
0003126215.tif 000008